(57)【要約】【課題】  第１通信システムの通信リソースが冗長に残存することを抑制することを可能とする移動通信端末、移動通信制御装置、移動通信システム及び移動通信方法を提供する。【解決手段】  通信端末装置１０は、第１通信システムに在圏しているときに、第２通信システムの通信リソースが確保される前に、第２通信システムへの遷移を希望する旨を示す制御信号を第１通信システムに送信するように構成される。第１通信システムは、第２通信システムの通信リソースが確保される前であっても、第２通信システムへの遷移を希望する旨を示す制御信号に応じて、第１通信システムの通信リソースを解放する。【選択図】  図４
2011091515.tif 000002
【特許請求の範囲】
【請求項１】
第１通信システムから第２通信システムに遷移するように構成された移動通信端末であって、
前記第１通信システムに在圏しているときに、前記第２通信システムの通信リソースが確保される前に、前記第２通信システムへの遷移を希望する旨を示す制御信号を前記第１通信システムに送信するように構成された送信部を備え、
前記制御信号は、前記第２通信システムの通信リソースが確保される前であっても前記第１通信システムの通信リソースを解放するように前記第１通信システムを動作させることを特徴とする移動通信端末。
【請求項２】
第１通信システムから第２通信システムに遷移するように構成された移動通信端末であって、
前記第２通信システムへの遷移を行う場合に、前記第２通信システムに遷移する前に前記第１通信システムに在圏していたことを示す制御信号を前記第２通信システムに送信するように構成された送信部を備え、
前記制御信号は、前記第２通信システムから前記第１通信システムに対して、前記第１通信システムの通信リソースを解放する指示を送信するように前記第２通信システムを動作させることを特徴とする移動通信端末。
【請求項３】
第１通信システムから第２通信システムに遷移するように構成された移動通信端末と設定される無線接続を設定するための通信リソースを制御するように構成されており、前記第１通信システムに設けられた移動通信制御装置であって、
前記移動通信端末が前記第１通信システムに在圏しているときに、前記第２通信システムの通信リソースが確保される前に、前記第２通信システムへの遷移を希望する旨を示す制御信号を前記移動通信端末から受信するように構成された受信部と、
前記第２通信システムの通信リソースが確保される前であっても、前記制御信号に応じて、前記第１通信システムの通信リソースを解放するように構成された制御部とを備えることを特徴とする移動通信制御装置。
【請求項４】
第１通信システムから第２通信システムに遷移するように構成された移動通信端末と設定される無線接続を設定するための通信リソースを制御するように構成されており、前記第２通信システムに設けられた移動通信制御装置であって、
前記移動通信端末が前記第２通信システムへの遷移を行う場合に、前記移動通信端末が前記第２通信システムに遷移する前に前記第１通信システムに在圏していたことを示す制御信号を前記移動通信端末から受信するように構成された受信部と、
前記制御信号に応じて、前記第１通信システムに対して、前記第１通信システムの通信リソースを解放する指示を送信するように構成された送信部とを備えることを特徴とする移動通信制御装置。
【請求項５】
第１通信システムと、第２通信システムと、前記第１通信システムから前記第２通信システムに遷移するように構成された移動通信端末とを有する移動通信システムであって、
前記移動通信端末は、前記第１通信システムに在圏しているときに、前記第２通信システムの通信リソースが確保される前に、前記第２通信システムへの遷移を希望する旨を示す制御信号を前記第１通信システムに送信するように構成されており、
前記第１通信システムは、前記第２通信システムの通信リソースが確保される前であっても、前記制御信号に応じて、前記第１通信システムの通信リソースを解放するように構成されることを特徴とする移動通信システム。
【請求項６】
第１通信システムと、第２通信システムと、前記第１通信システムから前記第２通信システムに遷移するように構成された移動通信端末とを有する移動通信システムであって、
前記移動通信端末は、前記第２通信システムへの遷移を行う場合に、前記第２通信システムに遷移する前に前記第１通信システムに在圏していたことを示す制御信号を前記第２通信システムに送信するように構成されており、
前記第２通信システムは、前記制御信号に応じて、前記第１通信システムに対して、前記第１通信システムの通信リソースを解放する指示を送信するように構成されることを特徴とする移動通信システム。
【請求項７】
第１通信システムと、第２通信システムと、前記第１通信システムから前記第２通信システムに遷移するように構成された移動通信端末とを有する移動通信システムに適用される移動通信方法であって、
前記移動通信端末が、前記第１通信システムに在圏しているときに、前記第２通信システムの通信リソースが確保される前に、前記第２通信システムへの遷移を希望する旨を示す制御信号を前記第１通信システムに送信するステップと、
前記第１通信システムが、前記第２通信システムの通信リソースが確保される前であっても、前記制御信号に応じて、前記第１通信システムの通信リソースを解放するステップとを備えることを特徴とする移動通信方法。
【請求項８】
第１通信システムと、第２通信システムと、前記第１通信システムから前記第２通信システムに遷移するように構成された移動通信端末とを有する移動通信システムに適用される移動通信方法であって、
前記移動通信端末が、前記第２通信システムへの遷移を行う場合に、前記第２通信システムに遷移する前に前記第１通信システムに在圏していたことを示す制御信号を前記第２通信システムに送信するステップと、
前記第２通信システムが、前記制御信号に応じて、前記第１通信システムに対して、前記第１通信システムの通信リソースを解放する指示を送信するステップとを備えることを特徴とする移動通信方法。
【発明の詳細な説明】
【技術分野】
【０００１】
第１通信システムから第２通信システムに遷移するように構成された移動通信端末、移動通信制御装置、移動通信システム及び移動通信方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの第１通信システムにおいて、アイドル状態又はコネクト状態の移動通信端末は、ネットワークから報知される情報に従って、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）やＬＴＥ（Ｌｏｎｇ  Ｔｅｒｍ  Ｅｖｏｌｕｔｉｏｎ）などの第２通信システムに遷移できる（例えば、特許文献１）。
【先行技術文献】
【特許文献】
【０００３】
【特許文献１】特表２００９−５０１４７１号公報
【発明の概要】
【発明が解決しようとする課題】
【０００４】
ここで、第１通信システムから第２通信システムに移動通信端末が遷移する場合に、第１通信システムにおいて通信リソースの解放を検出するまで、第１通信システムの通信リソースが確保されたままになる。又は、移動通信端末から通信リソースの解放が要求されるまで、第１通信システムの通信リソースが確保されたままになる。
【０００５】
すなわち、第１通信システムから第２通信システムに移動通信端末が遷移する場合に、第１通信システムの通信リソースが冗長に残存してしまう。
【０００６】
そこで、本発明は、上述した課題を解決するためになされたものであり、第１通信システムの通信リソースが冗長に残存することを抑制することを可能とする移動通信端末、移動通信制御装置、移動通信システム及び移動通信方法を提供することを目的とする。
【課題を解決するための手段】
【０００７】
第１の特徴に係る移動通信端末は、第１通信システムから第２通信システムに遷移するように構成される。移動通信端末は、前記第１通信システムに在圏しているときに、前記第２通信システムの通信リソースが確保される前に、前記第２通信システムへの遷移を希望する旨を示す制御信号を前記第１通信システムに送信するように構成された送信部を備える。前記制御信号は、前記第２通信システムの通信リソースが確保される前であっても前記第１通信システムの通信リソースを解放するように前記第１通信システムを動作させる。
【０００８】
第２の特徴に係る移動通信端末は、第１通信システムから第２通信システムに遷移するように構成される。移動通信端末は、前記第２通信システムへの遷移を行う場合に、前記第２通信システムに遷移する前に前記第１通信システムに在圏していたことを示す制御信号を前記第２通信システムに送信するように構成された送信部を備える。前記制御信号は、前記第２通信システムから前記第１通信システムに対して、前記第１通信システムの通信リソースを解放する指示を送信するように前記第２通信システムを動作させる。
【０００９】
第３の特徴に係る移動通信制御装置は、第１通信システムから第２通信システムに遷移するように構成された移動通信端末と設定される無線接続を設定するための通信リソースを制御するように構成される。移動通信制御装置は、前記第１通信システムに設けられる。移動通信制御装置は、前記移動通信端末が前記第１通信システムに在圏しているときに、前記第２通信システムの通信リソースが確保される前に、前記第２通信システムへの遷移を希望する旨を示す制御信号を前記移動通信端末から受信するように構成された受信部と、前記第２通信システムの通信リソースが確保される前であっても、前記制御信号に応じて、前記第１通信システムの通信リソースを解放するように構成された制御部とを備える。
【００１０】
第４の特徴に係る移動通信制御装置は、第１通信システムから第２通信システムに遷移するように構成された移動通信端末と設定される無線接続を設定するための通信リソースを制御するように構成される。移動通信制御装置は、前記第２通信システムに設けられる。移動通信制御装置は、前記移動通信端末が前記第２通信システムへの遷移を行う場合に、前記移動通信端末が前記第２通信システムに遷移する前に前記第１通信システムに在圏していたことを示す制御信号を前記移動通信端末から受信するように構成された受信部と、前記制御信号に応じて、前記第１通信システムに対して、前記第１通信システムの通信リソースを解放する指示を送信するように構成された送信部とを備える。
【００１１】
第５の特徴に係る移動通信システムは、第１通信システムと、第２通信システムと、前記第１通信システムから前記第２通信システムに遷移するように構成された移動通信端末とを有する。前記移動通信端末は、前記第１通信システムに在圏しているときに、前記第２通信システムの通信リソースが確保される前に、前記第２通信システムへの遷移を希望する旨を示す制御信号を前記第１通信システムに送信するように構成される。前記第１通信システムは、前記第２通信システムの通信リソースが確保される前であっても、前記制御信号に応じて、前記第１通信システムの通信リソースを解放するように構成される。
【００１２】
第６の特徴に係る移動通信システムは、第１通信システムと、第２通信システムと、前記第１通信システムから前記第２通信システムに遷移するように構成された移動通信端末とを有する。前記移動通信端末は、前記第２通信システムへの遷移を行う場合に、前記第２通信システムに遷移する前に前記第１通信システムに在圏していたことを示す制御信号を前記第２通信システムに送信するように構成される。前記第２通信システムは、前記制御信号に応じて、前記第１通信システムに対して、前記第１通信システムの通信リソースを解放する指示を送信するように構成される。
【００１３】
第７の特徴に係る移動通信方法は、第１通信システムと、第２通信システムと、前記第１通信システムから前記第２通信システムに遷移するように構成された移動通信端末とを有する移動通信システムに適用される。移動通信方法は、前記移動通信端末が、前記第１通信システムに在圏しているときに、前記第２通信システムの通信リソースが確保される前に、前記第２通信システムへの遷移を希望する旨を示す制御信号を前記第１通信システムに送信するステップと、前記第１通信システムが、前記第２通信システムの通信リソースが確保される前であっても、前記制御信号に応じて、前記第１通信システムの通信リソースを解放するステップとを備える。
【００１４】
第８の特徴に係る移動通信方法は、第１通信システムと、第２通信システムと、前記第１通信システムから前記第２通信システムに遷移するように構成された移動通信端末とを有する移動通信システムに適用される。移動通信方法は、前記移動通信端末が、前記第２通信システムへの遷移を行う場合に、前記第２通信システムに遷移する前に前記第１通信システムに在圏していたことを示す制御信号を前記第２通信システムに送信するステップと、前記第２通信システムが、前記制御信号に応じて、前記第１通信システムに対して、前記第１通信システムの通信リソースを解放する指示を送信するステップとを備える。
【発明の効果】
【００１５】
本発明によれば、第１通信システムの通信リソースが冗長に残存することを抑制することを可能とする移動通信端末、移動通信制御装置、移動通信システム及び移動通信方法を提供することができる。
【図面の簡単な説明】
【００１６】
【図１】第１実施形態に係る移動通信システム１００を示す図である。
【図２】第１実施形態に係る通信端末装置１０を示す図である。
【図３】第１実施形態に係る移動通信制御装置３０を示す図である。
【図４】第１実施形態に係る移動通信システム１００の動作を示すシーケンス図である。
【図５】第１実施形態に係る移動通信システム１００の動作を示すシーケンス図である。
【図６】第２実施形態に係る移動通信システム１００の動作を示すシーケンス図である。
【図７】第２実施形態に係る移動通信システム１００の動作を示すシーケンス図である。
【発明を実施するための形態】
【００１７】
以下において、本発明の実施形態に係る移動通信システムについて、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る移動通信システムは、第１通信システムと、第２通信システムと、第１通信システムから第２通信システムに遷移するように構成された移動通信端末とを有する。
【００２０】
第１に、移動通信端末は、第１通信システムに在圏しているときに、第２通信システムの通信リソースが確保される前に、第２通信システムへの遷移を希望する旨を示す制御信号を第１通信システムに送信するように構成される。第１通信システムは、第２通信システムの通信リソースが確保される前であっても、制御信号に応じて、第１通信システムの通信リソースを解放するように構成される。
【００２１】
このように、第１通信システムは、第２通信システムの通信リソースが確保される前であっても、第２通信システムへの遷移を希望する旨を示す制御信号に応じて、第１通信システムの通信リソースを解放する。従って、第１通信システムの通信リソースが冗長に残存することが抑制される。
【００２２】
第２に、移動通信端末は、第２通信システムへの遷移を行う場合に、第２通信システムに遷移する前に第１通信システムに在圏していたことを示す制御信号を第２通信システムに送信するように構成される。第２通信システムは、制御信号に応じて、第１通信システムに対して、第１通信システムの通信リソースを解放する指示を送信するように構成される。
【００２３】
このように、第２通信システムは、第２通信システムに遷移する前に第１通信システムに在圏していたことを示す制御信号に応じて、第１通信システムに対して、第１通信システムの通信リソースを解放する指示を送信する。従って、第１通信システムの通信リソースが冗長に残存することが抑制される。
【００２４】
なお、実施形態では、通信システムとして、ＵＭＴＳ及びＬＴＥを例示するが、通信システムは、これに限定されるものではない。また、実施形態では、ＵＭＴＳからＬＴＥへの遷移及びＬＴＥからＵＭＴＳへの遷移の双方について説明する。
【００２５】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２６】
図１に示すように、移動通信システム１００は、通信端末装置１０と、基地局２０Ａ（以下、ＮｏｄｅＢ２０Ａ）と、ＲＮＣ３０Ａと、基地局３０Ｂ（以下、ｅＮｏｄｅＢ３０Ｂ）と、ＳＧＳＮ／ＧＧＳＮ４０Ａと、ＭＭＥ４０Ｂと、コアネットワーク５０とを有する。
【００２７】
ここで、ＮｏｄｅＢ２０Ａ、ＲＮＣ３０Ａ及びＳＧＳＮ／ＧＧＳＮ４０Ａは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に属する装置である。ｅＮｏｄｅＢ３０Ｂ及びＭＭＥ４０Ｂは、ＬＴＥ（Ｌｏｎｇ  Ｔｅｒｍ  Ｅｖｏｌｕｔｉｏｎ）に属する装置である。また、ＳＧＳＮ／ＧＧＳＮ４０Ａ及びＭＭＥ４０Ｂは、コアネットワーク５０に含まれる装置である。
【００２８】
通信端末装置１０は、ＵＭＴＳ及びＬＴＥのうち、一方の通信システムから他方の通信システムに遷移可能に構成された装置である。例えば、通信端末装置１０は、ＮｏｄｅＢ２０Ａと無線通信を行う機能を有するとともに、ｅＮｏｄｅＢ３０Ｂと無線通信を行う機能を有する。
【００２９】
なお、第１実施形態において、「遷移」とは、コネクト状態において、通信端末装置１０が通信を行っている通信システムを切り替えることである。
【００３０】
ＮｏｄｅＢ２０Ａは、エリア２５Ａを管理しており、エリア２５Ａに在圏する通信端末装置１０と無線通信を行う装置（ＮｏｄｅＢ）である。
【００３１】
ＲＮＣ３０Ａは、ＮｏｄｅＢ２０Ａと接続されており、エリア２５Ａに在圏する通信端末装置１０と無線接続を設定する装置（Ｒａｄｉｏ  Ｎｅｔｗｏｒｋ  Ｃｏｎｔｒｏｌｌｅｒ）である。具体的には、ＲＮＣ３０Ａは、ＵＭＴＳにおける通信リソースを制御する。例えば、通信端末装置１０とＲＮＣ３０Ａとの間で設定される無線接続（例えば、ＲＲＣ  Ｃｏｎｎｅｃｔｉｏｎ）を設定するための無線リソース、或いは、ＳＧＳＮ／ＧＧＳＮ４０Ａ、ＮｏｄｅＢ２０Ａなどの装置間の回線リソース、ＲＮＣ３０Ａのメモリ使用率などの装置リソースを制御する。すなわち、通信リソースは、上述した無線リソース、回線リソース、装置リソースなどである。
【００３２】
ｅＮｏｄｅＢ３０Ｂは、エリア２５Ｂを管理しており、エリア２５Ｂに在圏する通信端末装置１０と無線通信を行う装置（ｅｖｏｌｅｄ  ＮｏｄｅＢ）である。また、ｅＮｏｄｅＢ３０Ｂは、エリア２５Ｂに在圏する通信端末装置１０と無線接続を設定する。具体的には、ｅＮｏｄｅＢ３０Ｂは、ＬＴＥにおける通信リソースを制御する。例えば、ｅＮｏｄｅＢ３０Ｂは、通信端末装置１０とｅＮｏｄｅＢ３０Ｂとの間で設定される無線接続（例えば、ＲＲＣ  Ｃｏｎｎｅｃｔｉｏｎ）を設定するための通信リソースを制御する。
【００３３】
なお、第１実施形態では、ＲＮＣ３０Ａ及びｅＮｏｄｅＢ３０Ｂは、通信端末装置１０と設定する無線接続を設定するための通信リソースを制御するように構成された移動通信制御装置の一例である。
【００３４】
ＳＧＳＮ／ＧＧＳＮ４０Ａは、パケット交換ドメインにおいてパケット交換を行う装置（ＳＧＳＮ；Ｓｅｒｖｉｎｇ  ＧＰＲＳ  Ｓｕｐｐｏｒｔ  Ｎｏｄｅ、或いは、ＧＧＳＮ；Ｇａｔｅｗａｙ  ＧＰＲＳ  Ｓｕｐｐｏｒｔ  Ｎｏｄｅ）である。なお、図１では省略しているが、回線交換ドメインにおいて回線交換を行う装置（Ｍｏｂｉｌｅ  Ｓｗｉｔｃｈｉｎｇ  Ｃｅｎｔｅｒ）が設けられていてもよい。
【００３５】
ＭＭＥ４０Ｂは、ｅＮｏｄｅＢ３０Ｂと接続されており、ｅＮｏｄｅＢ３０Ｂと無線接続を設定している通信端末装置１０の移動性を管理する装置（Ｍｏｂｉｌｉｔｙ  Ｍａｎａｇｅｍｅｎｔ  Ｅｎｔｉｔｙ）である。
【００３６】
（移動通信端末の構成）
以下において、第１実施形態に係る移動通信端末の構成について、図面を参照しながら説明する。図２は、第１実施形態に係る通信端末装置１０を示す図である。図２に示すように、通信端末装置１０は、通信部１１と、制御部１２とを有する。
【００３７】
通信部１１は、ＮｏｄｅＢ２０Ａを介してＲＮＣ３０Ａと設定される無線接続を用いてＵＭＴＳと通信を行う。また、通信部１１は、ｅＮｏｄｅＢ３０Ｂと設定される無線接続を用いてＬＴＥと通信を行う。
【００３８】
第１実施形態では、通信部１１は、ＲＮＣ３０Ａ又はｅＮｏｄｅＢ３０Ｂと設定される無線接続（例えば、ＲＲＣ  Ｃｏｎｎｅｃｔｉｏｎ）を設定するための制御信号を送信又は受信する。同様に、通信部１１は、ＲＮＣ３０Ａ又はｅＮｏｄｅＢ３０Ｂと設定される無線接続（例えば、ＲＲＣ  Ｃｏｎｎｅｃｔｉｏｎ）を解放するための制御信号を送信又は受信する。
【００３９】
制御部１２は、通信端末装置１０を統括的に制御する。例えば、制御部１２は、無線接続（例えば、ＲＲＣ  Ｃｏｎｎｅｃｔｉｏｎ）の設定又は解放を制御するための制御信号を送信するように通信部１１を制御する。
【００４０】
第１実施形態では、制御部１２は、第１通信システムに在圏しているときに、第２通信システムの通信リソースが確保される前に、第２通信システムへの遷移を希望する旨を示す制御信号を第１通信システムに送信するように通信部１１を制御する。
【００４１】
なお、「第２通信システムへの遷移の希望」は、第２通信システムの特定の通信セルへの遷移の希望であってもよい。特定の通信セルは、例えば、ＨｅＮＢ：Ｈｏｍｅ  ｅＮｏｅｄｅＢが管理するセル、フェムトセル、接続が許容されるユーザを設定可能に構成されたＣＳＧ（Ｃｌｏｓｅｄ  Ｓｕｂｓｃｒｉｂｅｒ  Ｇｒｏｕｐ）セルなどである。或いは、「第２通信システムへの遷移の希望」は、通信端末装置１０が自律的に動作するケースにおける第２通信システムへの遷移の希望であってもよい。
【００４２】
ここで、第２通信システムへの遷移を希望する旨を示す制御信号を送信する際に、通信端末装置１０が遷移を希望する第２通信システムの通信セルのエリア近傍或いはエリア内に存在することを通信端末装置１０又は第１通信システムが把握していることが好ましい。従って、第２通信システムからの制御信号（ＣＰＩＣＨ）の受信品質を通信端末装置１０が事前に測定していることが好ましい。或いは、通信端末装置１０が事前に接続した第２通信システムの通信セルの位置や周波数を通信端末装置１０が記憶していることが好ましい（Ｆｉｎｇｅｒ  Ｐｒｉｎｔ）。また、通信端末装置１０は、通信セルの位置や周波数を示す情報を制御信号に含めてもよい。
【００４３】
ここで、第１通信システムがＵＭＴＳであり、第２通信システムがＬＴＥであってもよいことに留意すべきである。又は、第１通信システムがＬＴＥであり、第２通信システムがＵＭＴＳであってもよいことに留意すべきである。
【００４４】
（移動通信制御装置の構成）
以下において、第１実施形態に係る移動通信制御装置の構成について、図面を参照しながら説明する。図３は、第１実施形態に係る移動通信制御装置３０を示す図である。図３に示すように、移動通信制御装置３０は、通信部３１と、制御部３２とを有する。
【００４５】
第１実施形態では、第１通信システムから第２通信システムに通信端末装置１０が遷移するケースにおいて、第１通信システムにおいて通信リソースを制御する装置が移動通信制御装置３０である。
【００４６】
上述したように、ＲＮＣ３０Ａ及びｅＮｏｄｅＢ３０Ｂは、移動通信制御装置３０の一例である。従って、ＵＭＴＳが第１通信システムである場合には、移動通信制御装置３０はＲＮＣ３０Ａである。又は、ＬＴＥが第１通信システムである場合には、移動通信制御装置３０はｅＮｏｄｅＢ３０Ｂである。
【００４７】
通信部３１は、通信端末装置１０と設定される無線接続を用いて通信端末装置１０と通信を行う。
【００４８】
第１実施形態では、通信部３１は、通信端末装置１０と設定される無線接続（例えば、ＲＲＣ  Ｃｏｎｎｅｃｔｉｏｎ）を設定するための制御信号を送信又は受信する。通信端末装置１０と設定される無線接続（例えば、ＲＲＣ  Ｃｏｎｎｅｃｔｉｏｎ）を解放するための制御信号を送信又は受信する。
【００４９】
また、第１実施形態では、通信部３１は、通信端末装置１０が第１通信システムに在圏しているときに、第２通信システムの通信リソースが確保される前に、第２通信システムへの遷移を希望する旨を示す制御信号を通信端末装置１０から受信する。
【００５０】
制御部３２は、移動通信制御装置３０を統括的に制御する。例えば、制御部３２は、無線接続（例えば、ＲＲＣ  Ｃｏｎｎｅｃｔｉｏｎ）の設定又は解放を制御するための制御信号を送信するように通信部３１を制御する。
【００５１】
第１実施形態では、制御部３２は、第２通信システムへの遷移を希望する旨を示す制御信号を受信した場合に、第２通信システムの通信リソースが確保される前であっても、第１通信システムの通信リソースを解放する。
【００５２】
（移動通信システムの動作）
以下において、第１実施形態に係る移動通信システムの動作について、図面を参照しながら説明する。図４及び図５は、第１実施形態に係る移動通信システム１００の動作を示すシーケンス図である。
【００５３】
第１に、ＵＭＴＳからＬＴＥに通信端末装置１０が遷移するケースについて、図４を参照しながら説明する。すなわち、図４では、ＵＭＴＳが第１通信システムであり、ＬＴＥが第２通信システムである。
【００５４】
図４に示すように、ステップ１０Ａにおいて、通信端末装置１０は、ＵＭＴＳにおいてコネクト状態である。ステップ１０Ｂにおいて、通信端末装置１０は、ＬＴＥにおいてアイドル状態である。
【００５５】
ステップ１１において、通信端末装置１０は、ＲＲＣレイヤ（レイヤ３）のメッセージを用いて、ＬＴＥへの遷移を希望する旨を示す制御信号（Ｐｒｅｆｅｒｅｄ  ｔｏ  ＬＴＥ）をＲＮＣ３０Ａに送信する。なお、この段階では、ＬＴＥの通信リソースが確保されていないことに留意すべきである。
【００５６】
ステップ１２において、ＲＮＣ３０Ａは、ＵＭＴＳの通信リソースを解放する。
【００５７】
ステップ１３において、ＲＮＣ３０Ａは、ＲＲＣレイヤ（レイヤ３）のメッセージを用いて、ＲＲＣコネクション解放（ＲＲＣ  Ｃｏｎｎｅｃｔｉｏｎ  Ｒｅｌｅａｓｅ）を通信端末装置１０に送信する。
【００５８】
ステップ１４において、通信端末装置１０は、ＲＲＣレイヤ（レイヤ３）のメッセージを用いて、ＲＲＣコネクション解放完了（ＲＲＣ  Ｃｏｎｎｅｃｔｉｏｎ  Ｒｅｌｅａｓｅ  Ｃｏｍｐｌｅｔｅ）をＲＮＣ３０Ａに送信する。
【００５９】
ステップ１５において、通信端末装置１０は、ＵＭＴＳにおいてアイドル状態に遷移する。すなわち、ステップ１２〜ステップ１４の処理によって、通信端末装置１０は、ＵＭＴＳにおいて、コネクト状態からアイドル状態に遷移する。
【００６０】
ステップ１６において、通信端末装置１０は、ＲＲＣレイヤ（レイヤ３）のメッセージを用いて、ＲＲＣコネクション設定要求（ＲＲＣ  Ｃｏｎｎｅｃｔｉｏｎ  Ｒｅｑｕｅｓｔ）をｅＮｏｄｅＢ３０Ｂに送信する。
【００６１】
なお、ステップ１６の処理については、Ｒｅｄｉｒｅｃｔｉｏｎ手順や再接続手順によって、通信端末装置１０が自動的に行うことに留意すべきである。又は、ステップ１６の処理において、ＮＡＳ（Ｎｏｎ  Ａｃｃｅｓｓ  Ｓｔｒａｔｕｍ）  Ｒｅｃｏｖｅｒｙ手順によって、通信端末装置１０が自動的に行うことに留意すべきである（例えば、３ＧＰＰ  ＴＳ２５．３３１  ｖ９．０．０）。
【００６２】
ステップ１７において、ｅＮｏｄｅＢ３０Ｂは、ＬＴＥの通信リソースを設定する。
【００６３】
ステップ１８において、ｅＮｏｄｅＢ３０Ｂは、ＲＲＣレイヤ（レイヤ３）のメッセージを用いて、ＲＲＣコネクションセットアップ（ＲＲＣ  Ｃｏｎｎｅｃｔｉｏｎ  Ｓｅｔｕｐ）を通信端末装置１０に送信する。
【００６４】
ステップ１９において、通信端末装置１０は、ＲＲＣレイヤ（レイヤ３）のメッセージを用いて、ＲＲＣコネクションセットアップ完了（ＲＲＣ  Ｃｏｎｎｅｃｔｉｏｎ  Ｓｅｔｕｐ  Ｃｏｍｐｌｅｔｅ）をｅＮｏｄｅＢ３０Ｂに送信する。
【００６５】
ステップ２０において、通信端末装置１０は、ＬＴＥにおいてコネクト状態に遷移する。すなわち、ステップ１６〜ステップ１９の処理によって、通信端末装置１０は、ＬＴＥにおいて、アイドル状態からコネクト状態に遷移する。
【００６６】
第２に、ＬＴＥからＵＭＴＳに通信端末装置１０が遷移するケースについて、図５を参照しながら説明する。すなわち、図５では、ＬＴＥが第１通信システムであり、ＵＭＴＳが第２通信システムである。
【００６７】
図５に示すように、ステップ１１０Ａにおいて、通信端末装置１０は、ＵＭＴＳにおいてアイドル状態である。ステップ１１０Ｂにおいて、通信端末装置１０は、ＬＴＥにおいてコネクト状態である。
【００６８】
ステップ１１１において、通信端末装置１０は、ＲＲＣレイヤ（レイヤ３）のメッセージを用いて、ＵＭＴＳへの遷移を希望する旨を示す制御信号（Ｐｒｅｆｅｒｅｄ  ｔｏ  ＵＭＴＳ）をｅＮｏｄｅＢ３０Ｂに送信する。なお、この段階では、ＵＭＴＳの通信リソースが確保されていないことに留意すべきである。
【００６９】
ステップ１１２において、ｅＮｏｄｅＢ３０Ｂは、ＬＴＥの通信リソースを解放する。
【００７０】
ステップ１１３において、ｅＮｏｄｅＢ３０Ｂは、ＲＲＣレイヤ（レイヤ３）のメッセージを用いて、ＲＲＣコネクション解放（ＲＲＣ  Ｃｏｎｎｅｃｔｉｏｎ  Ｒｅｌｅａｓｅ）を通信端末装置１０に送信する。
【００７１】
ステップ１１４において、通信端末装置１０は、ＲＲＣレイヤ（レイヤ３）のメッセージを用いて、ＲＲＣコネクション解放完了（ＲＲＣ  Ｃｏｎｎｅｃｔｉｏｎ  Ｒｅｌｅａｓｅ  Ｃｏｍｐｌｅｔｅ）をｅＮｏｄｅＢ３０Ｂに送信する。
【００７２】
ステップ１１５において、通信端末装置１０は、ＬＴＥにおいてアイドル状態に遷移する。すなわち、ステップ１１２〜ステップ１１４の処理によって、通信端末装置１０は、ＬＴＥにおいて、コネクト状態からアイドル状態に遷移する。
【００７３】
ステップ１１６において、通信端末装置１０は、ＲＲＣレイヤ（レイヤ３）のメッセージを用いて、ＲＲＣコネクション設定要求（ＲＲＣ  Ｃｏｎｎｅｃｔｉｏｎ  Ｒｅｑｕｅｓｔ）をＲＮＣ３０Ａに送信する。
【００７４】
なお、ステップ１１６の処理については、Ｒｅｄｉｒｅｃｔｉｏｎ手順や再接続手順によって、通信端末装置１０が自動的に行うことに留意すべきである。又は、ステップ１１６の処理において、ＮＡＳ（Ｎｏｎ  Ａｃｃｅｓｓ  Ｓｔｒａｔｕｍ）  Ｒｅｃｏｖｅｒｙ手順によって、通信端末装置１０が自動的に行うことに留意すべきである。
【００７５】
ステップ１１７において、ＲＮＣ３０Ａは、ＵＭＴＳの通信リソースを設定する。
【００７６】
ステップ１１８において、ＲＮＣ３０Ａは、ＲＲＣレイヤ（レイヤ３）のメッセージを用いて、ＲＲＣコネクションセットアップ（ＲＲＣ  Ｃｏｎｎｅｃｔｉｏｎ  Ｓｅｔｕｐ）を通信端末装置１０に送信する。
【００７７】
ステップ１１９において、通信端末装置１０は、ＲＲＣレイヤ（レイヤ３）のメッセージを用いて、ＲＲＣコネクションセットアップ完了（ＲＲＣ  Ｃｏｎｎｅｃｔｉｏｎ  Ｓｅｔｕｐ  Ｃｏｍｐｌｅｔｅ）をＲＮＣ３０Ａに送信する。
【００７８】
ステップ１２０において、通信端末装置１０は、ＵＭＴＳにおいてコネクト状態に遷移する。すなわち、ステップ１１６〜ステップ１１９の処理によって、通信端末装置１０は、ＵＭＴＳにおいて、アイドル状態からコネクト状態に遷移する。
【００７９】
（作用及び効果）
第１実施形態では、第１通信システムは、第２通信システムの通信リソースが確保される前であっても、第２通信システムへの遷移を希望する旨を示す制御信号に応じて、第１通信システムの通信リソースを解放する。従って、第１通信システムの通信リソースが冗長に残存することが抑制される。
【００８０】
なお、第１通信システムから第２通信システムへの遷移において通信の瞬断が生じるが、Ｒｅｄｉｒｅｃｔｉｏｎ手順、再接続手順、ＮＡＳ  Ｒｅｃｏｖｅｒｙ手順によって、通信端末装置１０と第２通信システムとの間の無線接続が設定されるため、通信が継続されることに留意すべきである。
【００８１】
［第２実施形態］
以下において、第２実施形態について、図面を参照しながら説明する。以下においては、第１実施形態との相違点について主として説明する。
【００８２】
第１実施形態において、通信端末装置１０は、第１通信システムに在圏しているときに、第２通信システムの通信リソースが確保される前に、第２通信システムへの遷移を希望する旨を示す制御信号を第１通信システムに送信する。第１通信システム（移動通信制御装置３０）は、第２通信システムの通信リソースが確保される前であっても、第２通信システムへの遷移を希望する旨を示す制御信号に応じて、第１通信システムの通信リソースを解放する。
【００８３】
これに対して、第２実施形態では、通信端末装置１０は、第２通信システムへの遷移を行う場合に、第２通信システムに遷移する前に第１通信システムに在圏していたことを示す制御信号を第２通信システムに送信する。第２通信システム（移動通信制御装置３０）は、第２通信システムに遷移する前に第１通信システムに在圏していたことを示す制御信号に応じて、第１通信システムに対して、第１通信システムの通信リソースを解放する指示を送信する。
【００８４】
第２実施形態では、第１通信システムから第２通信システムに通信端末装置１０が遷移するケースにおいて、第２通信システムにおいて通信リソースを制御する装置が移動通信制御装置３０である。
【００８５】
上述したように、ＲＮＣ３０Ａ及びｅＮｏｄｅＢ３０Ｂは、移動通信制御装置３０の一例である。従って、ＵＭＴＳが第２通信システムである場合には、移動通信制御装置３０はＲＮＣ３０Ａである。又は、ＬＴＥが第２通信システムである場合には、移動通信制御装置３０はｅＮｏｄｅＢ３０Ｂである。
【００８６】
（移動通信システムの動作）
以下において、第２実施形態に係る移動通信システムの動作について、図面を参照しながら説明する。図６及び図７は、第２実施形態に係る移動通信システム１００の動作を示すシーケンス図である。
【００８７】
第１に、ＵＭＴＳからＬＴＥに通信端末装置１０が遷移するケースについて、図６を参照しながら説明する。すなわち、図６では、ＵＭＴＳが第１通信システムであり、ＬＴＥが第２通信システムである。
【００８８】
図６に示すように、ステップ２１０Ａにおいて、通信端末装置１０は、ＵＭＴＳにおいてコネクト状態である。ステップ２１０Ｂにおいて、通信端末装置１０は、ＬＴＥにおいてアイドル状態である。
【００８９】
ステップ２１１において、通信端末装置１０は、ＲＲＣレイヤ（レイヤ３）のメッセージを用いて、ＲＲＣコネクション設定要求（ＲＲＣ  Ｃｏｎｎｅｃｔｉｏｎ  Ｒｅｑｕｅｓｔ）をｅＮｏｄｅＢ３０Ｂに送信する。
【００９０】
ここで、通信端末装置１０は、ＬＴＥに遷移する前に、ＵＭＴＳに在圏していたことを示す制御信号を、ＲＲＣコネクション設定要求とともにｅＮｏｄｅＢ３０Ｂに送信する。
【００９１】
ステップ２１２において、ｅＮｏｄｅＢ３０Ｂは、ＬＴＥの通信リソースを設定する。
【００９２】
ステップ２１３において、ｅＮｏｄｅＢ３０Ｂは、ＲＲＣレイヤ（レイヤ３）のメッセージを用いて、ＲＲＣコネクションセットアップ（ＲＲＣ  Ｃｏｎｎｅｃｔｉｏｎ  Ｓｅｔｕｐ）を通信端末装置１０に送信する。
【００９３】
ステップ２１４において、通信端末装置１０は、ＲＲＣレイヤ（レイヤ３）のメッセージを用いて、ＲＲＣコネクションセットアップ完了（ＲＲＣ  Ｃｏｎｎｅｃｔｉｏｎ  Ｓｅｔｕｐ  Ｃｏｍｐｌｅｔｅ）をｅＮｏｄｅＢ３０Ｂに送信する。
【００９４】
ステップ２１５において、通信端末装置１０は、ＬＴＥにおいてコネクト状態に遷移する。すなわち、ステップ２１１〜ステップ２１４の処理によって、通信端末装置１０は、ＬＴＥにおいて、アイドル状態からコネクト状態に遷移する。
【００９５】
ステップ２１６において、ｅＮｏｄｅＢ３０Ｂは、ＲＮＣ３０Ａに対して、ＵＭＴＳの通信リソースを解放する指示（通信リソース解放指示）を送信する。なお、通信リソース解放指示は、コアネットワーク５０を経由して、ｅＮｏｄｅＢ３０ＢからＲＮＣ３０Ａに送信される。
【００９６】
ステップ２１７において、ＲＮＣ３０Ａは、ＵＭＴＳの通信リソースを解放する。
【００９７】
ステップ２１８において、通信端末装置１０は、ＵＭＴＳにおいてアイドル状態である。詳細には、通信端末装置１０は、ステップ２１１の処理によって、ＵＭＴＳにおいてアイドル状態に遷移していることに留意すべきである。
【００９８】
第２に、ＬＴＥからＵＭＴＳに通信端末装置１０が遷移するケースについて、図７を参照しながら説明する。すなわち、図７では、ＬＴＥが第１通信システムであり、ＵＭＴＳが第２通信システムである。
【００９９】
図７に示すように、ステップ３１０Ａにおいて、通信端末装置１０は、ＵＭＴＳにおいてアイドル状態である。ステップ３１０Ｂにおいて、通信端末装置１０は、ＬＴＥにおいてコネクト状態である。
【０１００】
ステップ３１１において、通信端末装置１０は、ＲＲＣレイヤ（レイヤ３）のメッセージを用いて、ＲＲＣコネクション設定要求（ＲＲＣ  Ｃｏｎｎｅｃｔｉｏｎ  Ｒｅｑｕｅｓｔ）をＲＮＣ３０Ａに送信する。
【０１０１】
ここで、通信端末装置１０は、ＵＭＴＳに遷移する前に、ＬＴＥに在圏していたことを示す制御信号を、ＲＲＣコネクション設定要求とともにＲＮＣ３０Ａに送信する。
【０１０２】
ステップ３１２において、ＲＮＣ３０Ａは、ＵＭＴＳの通信リソースを設定する。
【０１０３】
ステップ３１３において、ＲＮＣ３０Ａは、ＲＲＣレイヤ（レイヤ３）のメッセージを用いて、ＲＲＣコネクションセットアップ（ＲＲＣ  Ｃｏｎｎｅｃｔｉｏｎ  Ｓｅｔｕｐ）を通信端末装置１０に送信する。
【０１０４】
ステップ３１４において、通信端末装置１０は、ＲＲＣレイヤ（レイヤ３）のメッセージを用いて、ＲＲＣコネクションセットアップ完了（ＲＲＣ  Ｃｏｎｎｅｃｔｉｏｎ  Ｓｅｔｕｐ  Ｃｏｍｐｌｅｔｅ）をＲＮＣ３０Ａに送信する。
【０１０５】
ステップ３１５において、通信端末装置１０は、ＵＭＴＳにおいてコネクト状態に遷移する。すなわち、ステップ３１１〜ステップ３１４の処理によって、通信端末装置１０は、ＵＭＴＳにおいて、アイドル状態からコネクト状態に遷移する。
【０１０６】
ステップ３１６において、ＲＮＣ３０Ａは、ｅＮｏｄｅＢ３０Ｂに対して、ＬＴＥの通信リソースを解放する指示（通信リソース解放指示）を送信する。なお、通信リソース解放指示は、コアネットワーク５０を経由して、ＲＮＣ３０ＡからｅＮｏｄｅＢ３０Ｂに送信される。
【０１０７】
ステップ３１７において、ｅＮｏｄｅＢ３０Ｂは、ＬＴＥの通信リソースを解放する。
【０１０８】
ステップ３１８において、通信端末装置１０は、ＬＴＥにおいてアイドル状態である。詳細には、通信端末装置１０は、ステップ３１１の処理によって、ＬＴＥにおいてアイドル状態に遷移していることに留意すべきである。
【０１０９】
（作用及び効果）
第２実施形態では、第２通信システムは、第２通信システムに遷移する前に第１通信システムに在圏していたことを示す制御信号に応じて、第１通信システムに対して、第１通信システムの通信リソースを解放する指示を送信する。従って、第１通信システムの通信リソースが冗長に残存することが抑制される。
【０１１０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１１】
上述した実施形態では、通信システムとして、ＵＭＴＳ及びＬＴＥを例示したに過ぎない。従って、通信システムは、他の通信システム（例えば、ＧＳＭ）であってもよい。
【符号の説明】
【０１１２】
１０…通信端末装置、１１…通信部、１２…制御部、２０Ａ…ＮｏｄｅＢ、２５Ａ…エリア，２５Ｂ…エリア、３０…移動通信制御装置、３０Ａ…ＲＮＣ、３０…ｅＮｏｄｅＢ、３１…通信部、３２…制御部、４０Ａ…ＳＧＳＮ／ＧＧＳＮ、４０Ｂ…ＭＭＥ、５０…コアネットワーク、１００…移動通信システム
【図１】
2011091515.tif 000003
【図２】
2011091515.tif 000004
【図３】
2011091515.tif 000005
【図４】
2011091515.tif 000006
【図５】
2011091515.tif 000007
【図６】
2011091515.tif 000008
【図７】
2011091515.tif 000009